(57)【要約】      （修正有）【課題】様々なパンツに着用可能であるうえ、使い勝手の自由度がより高くなる漏れ防止構造、及び防汚パンツを提供する。【解決手段】漏れ防止構造は、防水層１００と、防水層の上に覆われた少なくとも１つの吸収層１０５とを備え、防水層の一部と少なくとも１つの吸収層は、縫い目１０４によって連結される。防汚パンツは、パンツ本体と本体の内側に前記防水構造を備える。【選択図】図１Ａ
0003229661.tif 000002
【実用新案登録請求の範囲】
【請求項１】
防水層と、
前記防水層の上に覆われた少なくとも１つの吸収層と、を備え、
前記防水層の一部と前記少なくとも１つの吸収層は、縫い目によって連結されることを特徴とする、漏れ防止構造。
【請求項２】
前記防水層は、内側に折り畳まれて前記少なくとも１つの吸収層を被覆することを特徴とする、請求項１に記載の漏れ防止構造。
【請求項３】
少なくとも１つの羽根部を更に備え、
前記少なくとも１つの羽根部は、それぞれ固定構造を有することを特徴とする、請求項２に記載の漏れ防止構造。
【請求項４】
少なくとも１本の漏れ防止帯を更に備えることを特徴とする、請求項２に記載の漏れ防止構造。
【請求項５】
前記防水層の表面上に位置する少なくとも１つの接合領域を更に備え、
前記少なくとも１本の漏れ防止帯は、それぞれ前記少なくとも１つの接合領域上に対応して固定されており、前記漏れ防止帯の面積は前記接合領域よりやや大きいことを特徴とする、請求項４に記載の漏れ防止構造。
【請求項６】
前記少なくとも１つの吸収層の上に覆われた肌にやさしい層を更に備えることを特徴とする、請求項１に記載の漏れ防止構造。
【請求項７】
パンツ本体と、
防水層と前記防水層の上に覆われた少なくとも１つの吸収層とを有する漏れ防止構造と、を備え、
前記防水層の一部と前記少なくとも１つの吸収層は、縫い目によって連結されることを特徴とする、防汚パンツ。
【請求項８】
前記防水層は、内側に折り畳まれて前記少なくとも１つの吸収層を被覆することを特徴とする、請求項７に記載の防汚パンツ。
【請求項９】
少なくとも１本の漏れ防止帯を更に備えることを特徴とする、請求項８に記載の防汚パンツ。
【請求項１０】
前記漏れ防止構造は、前記防水層の表面上に位置する少なくとも１つの接合領域を更に備え、
前記少なくとも１本の漏れ防止帯は、それぞれ前記少なくとも１つの接合領域上に対応して固定されており、前記漏れ防止帯の面積は前記接合領域よりやや大きいことを特徴とする、請求項９に記載の防汚パンツ。
【請求項１１】
前記漏れ防止構造は、前記少なくとも１つの吸収層の上に覆われた肌にやさしい層を更に備えることを特徴とする、請求項７に記載の防汚パンツ。
【考案の詳細な説明】
【技術分野】
【０００１】
本考案は、漏れ防止構造に関し、特に女性生理用の漏れ防止構造及びその漏れ防止構造を用いた防汚パンツに関する。
【背景技術】
【０００２】
通常、生理中の女性は、下着の底部につけた生理用ナプキンで生理による経血を吸収させ、また、経血の多い時期や夜間の就寝時に、下着の代わりに防水性のある生理用パンツを着用することによって生理用ナプキンから衣類への経血漏れを防止することがある。しかしながら、生理用ナプキンは、通常使い捨てであり、使用後に廃棄しなければならないため、長期間にわたると、廃棄物が多すぎることとなり、環境への負荷が避けられない。また、生理用パンツは、防水機能しか備わっておらず、生理用ナプキンと合わせて着用しなければならない。そのうえ、経血はサイフォン現象によって縫い目から漏れてしまうことがあるため、漏れを完全に防止することができない。
【０００３】
なお、生理用パンツと一般用パンツとの違いは、主に、漏れ防止構造にあることである。よって、漏れ防止構造は、独立して様々なパンツに適用可能であり、かつ繰り返し使用可能であれば、使い勝手が更によくなる。
【考案の概要】
【考案が解決しようとする課題】
【０００４】
よって、上記問題を解決すると共に利便性を向上させるための改良構造が望まれている。
【課題を解決するための手段】
【０００５】
上記目的を達成するために、本考案は、防水層と、少なくとも１つの吸収層とを備える漏れ防止構造を提供する。前記少なくとも１つの吸収層は、前記防水層の上を覆う。前記防水層の一部と前記少なくとも１つの吸収層は、縫い目によって連結される。
【０００６】
本考案の一実施例によれば、前記防水層は、内側に折り畳まれて前記少なくとも１つの吸収層を被覆する。
【０００７】
本考案の一実施例によれば、前記漏れ防止構造は、少なくとも１つの羽根部を更に備え、前記少なくとも１つの羽根部は、それぞれ固定構造を有する。
【０００８】
本考案の一実施例によれば、前記漏れ防止構造は、少なくとも１本の漏れ防止帯を備える。
【０００９】
本考案の一実施例によれば、前記漏れ防止構造は、前記防水層の表面上に位置する少なくとも１つの接合領域を更に備え、前記少なくとも１本の漏れ防止帯は、それぞれ前記少なくとも１つの接合領域上に対応して固定されており、前記漏れ防止帯の面積は前記接合領域よりやや大きい。
【００１０】
本考案の一実施例によれば、前記漏れ防止構造は、前記少なくとも１つの吸収層の上に覆われた肌にやさしい層を更に備える。
【００１１】
上記目的を達成するために、本考案は、パンツ本体と、漏れ防止構造とを備える防汚パンツも提供する。前記漏れ防止構造は、防水層と、少なくとも１つの吸収層とを備える。前記少なくとも１つの吸収層は、前記防水層の上を覆う。前記防水層の一部と前記少なくとも１つの吸収層は、縫い目によって連結される。
【考案の効果】
【００１２】
本考案の防汚パンツ及び漏れ防止構造によれば、防水層のバリアにより、体液の浸透を防止する効果を達成でき、また、防水層の側縁が上側に折り畳まれるデザインにより、その効果をさらに向上させることができる。なお、前記漏れ防止構造は、様々なパンツに着用可能であるため、使い勝手の自由度がより高くなる。
【図面の簡単な説明】
【００１３】
【図１】図１Ａは、本考案の一実施例に係る漏れ防止構造を示す図であり、図１Ｂは、図１Ａの実施例に係る漏れ防止構造の部分断面図である。
【図２】図２Ａは、本考案の他の実施例に係る漏れ防止構造を示す図であり、図２Ｂは、図２Ａの実施例に係る漏れ防止構造の裏面を示す図であり、図２Ｃは、図２Ａの実施例に係る漏れ防止構造の部分断面図であり、図２Ｄは、図２Ｂの実施例に係る漏れ防止構造の裏面側の部分分解図である。
【図３】図３Ａは、本考案の一実施例に係る防汚パンツの展開図であり、図３Ｂは、図３Ａの防汚パンツの断面図であり、図３Ｃは、図３Ａの防汚パンツの裏面側の展開図である。
【考案を実施するための形態】
【００１４】
図１Ａ及び図１Ｂに参照されるように、本考案の一実施例では、防水層１００と、吸収層１０５とを備える漏れ防止構造１０が提供される。留意点としては、他の実施例では、１つ以上の吸収層１０５を備えてもよい。前記吸収層１０５は、前記防水層１００の上を覆う。他の実施例では、前記吸収層１０５の上に覆われた肌にやさしい層を更に備えてもよく、前記肌にやさしい層は防汚抗菌の材質からなるものである。前記防水層１００は、一部のみが縫い目１０４によって前記吸収層１０５に連結されることで、従来デザインの縫い目に沿う漏れを防止することができる。このような構造は、主に、人が体液（経血又は分泌物を含むが、これらに限らない。）を分泌する際に、吸収層１０５によって体液を吸収するためのものである。前記防水層１００は、吸収層１０５が体液を吸収した後の漏れや溢れを防止するためのものである。なお、図１Ｂに示すように、吸収層１０５によって体液を吸収しつつ、防水層１００によって漏れ又は溢れを防止する以外に、前記防水層１００が内側に折り畳まれて前記吸収層１０５を被覆し、即ち防水層１００の側縁によって吸収層１０５を被覆することで、吸収層１０５に吸収された体液の漏れ又は溢れを防止することができる。留意点としては、前記防水層１００は、一部のみが縫い目１０４によって前記吸収層１０５に連結されるため、従来デザインの縫い目に沿う漏れを防止することができる。留意点としては、吸収層１０５の厚さが比較的大きい場合、図１Ｂにおける縫い目１０４は吸収層１０５全体を貫通する必要がなく、前記吸収層１０５の表面層近傍にある前記防水層１００に固定可能な部分のみを貫通してもよい。図１Ａに示すように、前記漏れ防止構造１０は、２つの羽根部１０２を更に備え、前記２つの羽根部１０２は、それぞれ固定構造１０３を有する。この実施例に使用する形状や数量は、本考案を例示するものに過ぎず、本考案を制限するものではない。
【００１５】
図２Ａ及び図２Ｂに参照されるように、本考案の他の実施例では、もう一種類の漏れ防止構造２０が提供される。図１Ａ及び図１Ｂの実施例との相違点としては、この漏れ防止構造２０は２本の漏れ防止帯２００を更に備える。同様に、ここでの形状や数量は、本考案を例示するものに過ぎず、本考案を制限するものではない。留意点としては、図２Ｂは図２Ａの実施例に係る漏れ防止構造の裏面、即ち衣類対向側の面を示す図であり、図２Ａは体対向側の面を示す図である。なお、図２Ｃは図２Ａの実施例に係る漏れ防止構造の部分断面図である。図２Ｃに示すように、防水層１００は縫い目によって連結されるものの、漏れ防止帯２００は縫い目によって固定されない。このようにすると、従来デザインの漏れを防止することができる。留意点としては、この実施例では、図２Ｄに示すように、体により密着するために、前記漏れ防止構造（防水層を含むが、これに限らない。）は１枚以上の布からなるものであるので、接合領域が形成される。２本の漏れ防止帯２００は、粘着手段によって前記接合領域１０６の上を覆って固定される。
【００１６】
図３Ａ及び図３Ｂに参照されるように、本考案の他の実施例では、パンツ本体３１と、漏れ防止構造３０とを備える防汚パンツ３が提供される。前記漏れ防止構造３０は、防水層１００と吸収層１０５とを有する。留意点としては、他の実施例では、１つ以上の吸収層１０５を有してもよい。前記吸収層１０５は、前記防水層１００の上を被覆する。他の実施例では、前記吸収層１０５の上に覆われた肌にやさしい層を更に備えてもよい。前記肌にやさしい層は、防汚抗菌の材質からなるものである。図３Ｂに示すように、前記防水層１００は、体の近傍にある一部のみが縫い目１０４によって前記吸収層１０５に連結され、主に人が体液（経血又は分泌物を含むが、これらに限らない。）を分泌する際に吸収層１０５によって体液を吸収するためのものである。前記防水層１００は、吸収層１０５が体液を吸収した後の漏れや溢れを防止するためのものである。留意点としては、吸収層１０５の厚さが比較的大きい場合、前記縫い目１０４は吸収層１０５全体を貫通する必要がなく、前記吸収層１０５の表面層近傍にある前記防水層１００に固定可能な部分のみを貫通してもよい。なお、いくつの実施例では、本考案の構造が男女の尿漏れの防止に好適なものである。図３Ｂに示すように、吸収層１０５によって体液を吸収しつつ、防水層１００によって漏れ又は溢れを防止する以外に、前記防水層１００が内側に折り畳まれて前記吸収層１０５を被覆し、即ち防水層１００の側縁によって吸収層１０５を被覆することで、吸収層１０５に吸収された体液の漏れ又は溢れを防止することができる。留意点としては、前記防水層１００は、一部のみが縫い目１０４によって前記吸収層１０５に連結されるため、従来デザインの縫い目に沿う漏れを防止することができる。
【００１７】
他の実施例では、図３Ｃに示すように、前記防汚パンツは上記２本の漏れ防止帯２００を更に備える。上記実施例のように、前記漏れ防止構造３０は、前記防水層１００の表面上に位置する２つの接合領域１０６を更に備え、前記２本の漏れ防止帯２００は、それぞれ前記２つの接合領域１０６上に対応して固定される。また、前記漏れ防止帯２００の面積は前記接合領域１０６よりやや大きい。同様に、ここでの形状や数量は、本考案を例示するものに過ぎず、本考案を制限するものではない。図２Ａ〜２Ｄに示すように、防水層１００は縫い目によって連結されるものの、漏れ防止帯２００は縫い目によって固定されない。このようにすると、従来デザインの漏れを防止することができる。留意点としては、この実施例では、体により密着するために、前記防汚パンツ（防水層を含むが、これに限らない。）は１枚以上の布からなるものであるので、接合領域が形成される。２本の漏れ防止帯２００は、粘着手段によって前記接合領域１０６の上に覆って固定される。
【００１８】
本考案の防汚パンツ及び漏れ防止構造によれば、防水層のバリアにより、体液の浸透を防止する効果を達成でき、また、防水層の側縁が上側に折り畳まれるデザインにより、その効果を更に向上させることができる。なお、前記漏れ防止構造は、様々なパンツに着用可能であるため、使い勝手の自由度がより高くなる。
【００１９】
上記に挙げられた実施例は、本考案の好適な実施例を説明するものに過ぎず、本考案の範囲を制限するものではない。当業者は、本考案の要旨を逸脱しない範囲において、様々な変更・改良を実施することができる。よって、本考案の保護範囲は、添付の実用新案登録請求の範囲を基準とする。
【符号の説明】
【００２０】
３：防汚パンツ
１０、２０、３０：漏れ防止構造
３１：パンツ本体
１００：防水層
１０２：羽根部
１０３：固定構造
１０４：縫い目
１０５：吸収層
１０６：接合領域
２００：漏れ防止帯
【図１Ａ】
0003229661.tif 000003
【図１Ｂ】
0003229661.tif 000004
【図２Ａ】
0003229661.tif 000005
【図２Ｂ】
0003229661.tif 000006
【図２Ｃ】
0003229661.tif 000007
【図２Ｄ】
0003229661.tif 000008
【図３Ａ】
0003229661.tif 000009
【図３Ｂ】
0003229661.tif 000010
【図３Ｃ】
0003229661.tif 000011